(57)【特許請求の範囲】
【請求項１】
架台上に、羽根車が収容されるケーシングと、前記羽根車を回転するためのモータとを配置し、前記羽根車側のベルト車と、前記モータ側のベルト車とに、ベルトを巻装してなるクリーンルーム用送風機において、
前記羽根車側のベルト車，前記モータ側のベルト車および前記ベルトとをベルトカバーにより略密閉状態で覆い、前記ベルトカバーに、排気ファンが配置される排気配管の一端を開口してなり、
前記ベルトカバーは、前記羽根車側のベルト車，前記モータ側のベルト車および前記ベルトの外周を覆うカバー本体の一側および他側に、側板を配置してなり、一側の側板に前記羽根車側のベルト車および前記モータ側のベルト車の回転軸が挿通される回転軸挿通孔が形成され、
前記他側の側板は、透明材料からなることを特徴とするクリーンルーム用送風機。
【請求項２】
請求項１記載のクリーンルーム用送風機において、
前記一側の側板は、前記回転軸挿通孔を中心にして両側に２分割されていることを特徴とするクリーンルーム用送風機。
【請求項３】
請求項１または請求項２記載のクリーンルーム用送風機において、
前記他側の側板は、前記カバー本体に着脱自在に固定されていることを特徴とするクリーンルーム用送風機。
【発明の詳細な説明】
【０００１】
【産業上の利用分野】
本発明は、クリーンルームの空調に使用されるクリーンルーム用送風機に関する。
【０００２】
【従来の技術】
図５は、従来のクリーンルーム空調システムを示すもので、このシステムでは、クリーンルーム１１の天井にフィルタ１３が敷設され天井空間１５が形成され、また、クリーンルーム１１の床面１７には、空気流通穴１９が形成され、床面１７の下方に床空間２１が形成されている。
【０００３】
そして、床空間２１内の空気を、送風機２３により冷温水コイル２５を備えた空調機２７に導いた後、空調された空気を天井空間１５に供給し、フィルタ１３からクリーンルーム１１内に吹き出させることによりクリーンルーム１１内の空気の空調および浄化が行われている。
【０００４】
【発明が解決しようとする課題】
しかしながら、このようなクリーンルーム空調システムでは、ベルト駆動型の送風機を使用すると、ベルトとベルト車との摩擦により塵埃が発生し、フィルタ１３に対する負荷が増大し、ひいては、クリーンルーム１１内の清浄度が低下する虞れがあり、特に、清浄度クラス１００以上の清浄度が要求されるクリーンルーム１１には使用することが困難であるという問題があった。
【０００５】
そこで、ベルト駆動型の送風機を、クリーンルーム１１の外部に配置し、ダクトにより連結する方法が考えられるが、この場合には、ダクトを敷設する必要があるため高価であり、また広い機械スペースが必要になるという問題がある。
【０００６】
さらに、ベルトを使用しない直動型の送風機を使用する方法が考えられるが、この場合には、直動型の送風機が、ベルト駆動型の送風機に比較して大型であり、また高価であるため、システム設計上の制約になるという問題がある。
【０００７】
本発明は、かかる従来の問題を解決するためになされたもので、ベルトからの発塵が外部に拡散することを確実に防止することができるクリーンルーム用送風機を提供することを目的とする。
【０００８】
【課題を解決するための手段】
請求項１のクリーンルーム用送風機は、架台上に、羽根車が収容されるケーシングと、前記羽根車を回転するためのモータとを配置し、前記羽根車側のベルト車と、前記モータ側のベルト車とに、ベルトを巻装してなるクリーンルーム用送風機において、前記羽根車側のベルト車，前記モータ側のベルト車および前記ベルトとをベルトカバーにより略密閉状態で覆い、前記ベルトカバーに、排気ファンが配置される排気配管の一端を開口してなり、前記ベルトカバーは、前記羽根車側のベルト車，前記モータ側のベルト車および前記ベルトの外周を覆うカバー本体の一側および他側に、側板を配置してなり、一側の側板に前記羽根車側のベルト車および前記モータ側のベルト車の回転軸が挿通される回転軸挿通孔が形成され、前記他側の側板は、透明材料からなるものである。
【００１０】
請求項２のクリーンルーム用送風機は、請求項１において、前記一側の側板は、前記回転軸挿通孔を中心にして両側に２分割されているものである。
請求項３のクリーンルーム用送風機は、請求項１または２において、前記他側の側板は、前記カバー本体に着脱自在に固定されているものである。
【００１２】
【作用】
請求項１のクリーンルーム用送風機では、送風機の運転時には、排気ファンが常時運転され、ベルトカバー内の空気が排気配管により吸引され、ベルトから塵埃が発生した時には、排気配管から外部に排出される。
【００１３】
また、一側の側板に形成される回転軸挿通孔に、羽根車側のベルト車およびモータ側のベルト車の回転軸が挿通され、この一側の側板，カバー本体および他側の側板により羽根車側のベルト車，モータ側のベルト車およびベルトが覆われる。
そして、他側の側板が透明材料からなるため、ベルトカバーを取り外すことなく目視点検が可能になる。
【００１４】
請求項２のクリーンルーム用送風機では、ベルト車を取り外すことなく、羽根車側のベルト車およびモータ側のベルト車の回転軸の両側から分割された一側の側板が装着される。
【００１５】
請求項３のクリーンルーム用送風機では、他側の側板がカバー本体に着脱自在に固定されているため、他側の側板をカバー本体から取り外すことにより、ベルト等が交換される。
【００１７】
【実施例】
以下、本発明の実施例を図面に基づいて説明する。
図１および図２は、本発明のクリーンルーム用送風機の一実施例を示しており、図において符号３１は、架台を示している。
【００１８】
この架台３１上には、羽根車３３が収容されるケーシング３５と、羽根車３３を回転するためのモータ３７とが隣接して配置されている。
ケーシング３５には、吸込口３９および吹出口４１が形成されている。
【００１９】
ケーシング３５の一側には、羽根車３３の回転軸４３が突出され、この回転軸４３には、羽根車３３側のベルト車４５が固定されている。
また、モータ３７の回転軸４７には、モータ３７側のベルト車４９が固定されている。
【００２０】
そして、羽根車３３側およびモータ３７側のベルト車４５，４９には、ベルト５１が巻装されている。
しかして、この実施例では、羽根車３３側のベルト車４５，モータ３７側のベルト車４９およびベルト５１が、ベルトカバー５３により略密閉状態で覆われている。
【００２１】
ベルトカバー５３の一端には、排気ファン５５が配置される排気配管５７の一端が開口されている。
図３は、ベルトカバー５３の詳細を示すもので、このベルトカバー５３は、羽根車３３側のベルト車４５，モータ３７側のベルト車４９およびベルト５１の外周を覆うカバー本体５９の一側および他側に、側板６１，６３を配置して構成されている。
【００２２】
カバー本体５９は、ステンレス等の金属からなり、その両端には、内側に突出する多数の取付部６５が一体形成されている。
取付部６５には、ビス６７（図１に示す）が螺合される螺子孔６９が形成されている。
【００２３】
また、カバー本体５９の両側の下部には、カバー本体５９を架台３１に固定するためのブラケット７１，７３が固定されている。
一側の側板６１には、羽根車３３側のベルト車４５およびモータ３７側のベルト車４９の回転軸４３，４７が挿通される回転軸挿通孔７５，７７が、所定間隔を置いて形成されている。
【００２４】
この一側の側板６１は、回転軸挿通孔７５，７７を中心にして両側に２分割されている。
一側および他側の側板６１，６３は、ビス６７によりカバー本体５９に着脱自在に固定されている。
【００２５】
そして、一側および他側の側板６１，６３が、透明材料の樹脂により形成されている。
このベルトカバー５３の取り付けは、例えば、羽根車３３側のベルト車４５，モータ３７側のベルト車４９およびベルト５１の外周にカバー本体５９を被嵌した後、カバー本体５９のブラケット７１，７３を架台３１にボルト７９により固定し、この後、分割された一側の側板６１を、羽根車３３側のベルト車４９およびモータ３７側のベルト車４９の回転軸４３，４７の両側から装着し、ビス６７によりカバー本体５９に固定し、さらに、カバー本体５９に他側の側板６３をビス６７により固定することにより行われる。
【００２６】
図４は、上述したクリーンルーム用送風機を使用したクリーンルーム空調システムを示すもので、このシステムでは、クリーンルーム８１の天井にフィルタ８３が敷設され天井空間８５が形成され、また、クリーンルーム８１の床面８７には、空気流通穴８９が形成され、床面８７の下方に床空間９１が形成されている。
【００２７】
そして、床空間９１内の空気を、クリーンルーム用送風機９３により冷温水コイル９５を備えた空調機９７に導いた後、空調された空気を天井空間８５に供給し、フィルタ８３からクリーンルーム８１内に吹き出させることによりクリーンルーム８１内の空気の空調および浄化が行われる。
【００２８】
しかして、上述したクリーンルーム用送風機では、送風機の運転時には、排気ファン５５が常時運転され、ベルトカバー５３内の空気が排気配管５７により吸引され、ベルト５１から塵埃が発生した時には、排気配管５７から外部に排出されるため、ベルト５１からの発塵が外部に拡散することを確実に防止することができる。
【００２９】
また、ベルトカバー５３を、羽根車３３側のベルト車４５，モータ３７側のベルト車４９およびベルト５１の外周を覆うカバー本体５９と、このカバー本体５９の一側および他側に配置される側板６１，６３とから構成したので、取り付け性を向上することができる。
【００３０】
さらに、一側の側板６１を、回転軸挿通孔７５，７７を中心にして両側に２分割したので、羽根車３３側のベルト車４５およびモータ３７側のベルト車４９の回転軸４３，４７の両側から分割された一側の側板６１を装着することにより、ベルト車４５，４９を取り外すことなくベルトカバー５３を取り付けることができる。
【００３１】
また、他側の側板６３がカバー本体５９に着脱自在に固定されているため、他側の側板６３をカバー本体５９から取り外すことにより、ベルト５１等を容易に交換することができ、メンテナンスが容易になる。
【００３２】
さらに、他側の側板６３が透明材料からなるため、ベルトカバー５３を取り外すことなく目視点検をすることが可能になる。
【００３３】
【発明の効果】
以上述べたように、請求項１のクリーンルーム用送風機では、送風機の運転時には、排気ファンが常時運転され、ベルトカバー内の空気が排気配管により吸引され、ベルトから塵埃が発生した時には、排気配管から外部に排出されるため、ベルトからの発塵が外部に拡散することを確実に防止することができる。
【００３４】
また、ベルトカバーを、羽根車側のベルト車，モータ側のベルト車およびベルトの外周を覆うカバー本体と、このカバー本体の一側および他側に配置される側板とから構成したので、取り付け性を向上することができる。
そして、他側の側板が透明材料からなるため、ベルトカバーを取り外すことなく目視点検をすることができる。
【００３５】
請求項２のクリーンルーム用送風機では、一側の側板を、回転軸挿通孔を中心にして両側に２分割したので、羽根車側のベルト車およびモータ側のベルト車の回転軸の両側から分割された一側の側板を装着することにより、ベルト車を取り外すことなくベルトカバーを取り付けることができる。
【００３６】
請求項３のクリーンルーム用送風機では、他側の側板がカバー本体に着脱自在に固定されているため、他側の側板をカバー本体から取り外すことにより、ベルト等を容易に交換することができる。
【図面の簡単な説明】
【図１】本発明のクリーンルーム用送風機の一実施例を示す側面図である。
【図２】図１の上面図である。
【図３】図１のベルトカバーを示す分解斜視図である。
【図４】図１のクリーンルーム用送風機が配置されるクリーンルームを示す説明図である。
【図５】従来のクリーンルームを示す説明図である。
【符号の説明】
３１  架台
３３  羽根車
３５  ケーシング
３７  モータ
４３，４７  回転軸
４５，４９  ベルト車
５１  ベルト
５３  ベルトカバー
５５  排気ファン
５７  排気配管
５９  カバー本体
６１，６３  側板
７５，７７  回転軸挿通孔
【図１】
0003727959.tif 000002
【図２】
0003727959.tif 000003
【図３】
0003727959.tif 000004
【図４】
0003727959.tif 000005
【図５】
0003727959.tif 000006